(57)【要約】【課題】この発明は利用者の向きを所望する方向に向けることができるだけでなく、上半身を起こすこともできる回転式ベッド装置を提供することにある。【解決手段】基体１と、この基体に回転可能に設けられた回転体３０と、この回転体を回転駆動するローラ体６及び駆動機構９と、複数の床部に分割され少なくとも一部が上記回転体に対して起伏可能に設けられた床板体７１と、この床板体の下面側に上記回転体と一体的に設けられこの回転体に起伏可能に設けられた背上げ床部７６を起伏駆動する背上げ機構４１とを具備する。【選択図】    図３
2004305364.tif 000002
【特許請求の範囲】
【請求項１】
基体と、
この基体に回転可能に設けられた回転体と、
この回転体を回転駆動する駆動手段と、
複数の床部に分割され少なくとも一部が上記回転体に対して起伏可能に設けられた床板体と、
この床板体の下面側に上記回転体と一体的に設けられこの回転体に起伏可能に設けられた床部を起伏駆動する背上げ機構と
を具備したことを特徴とする回転式ベッド装置。
【請求項２】
上記床板体の上面には、上記床部の起伏駆動によって折り曲げ可能に構成されたマットレスが設けられることを特徴とする請求項１記載の回転式ベッド装置。
【請求項３】
上記床板体と上記マットレスは平面形状が円形状をなしていいて、上記マットレスは径方向中心部から２つに折り畳み可能に形成されていることを特徴とする請求項２記載の回転式ベッド装置。
【請求項４】
上記駆動手段は、上記回転体の下面に対向するとともに周方向に所定間隔で回転可能かつ上記回転体の下面に接触して配置された複数のローラ体と、複数のローラ体のうちの少なくとも１つを回転駆動する駆動機構とを備えていることを特徴とする請求項１記載の回転式ベッド装置。
【発明の詳細な説明】
【０００１】
【発明の属する技術分野】
この発明は利用者が仰臥するマットレスを回転させることができる回転式ベッド装置に関する。
【０００２】
【従来の技術】
ベッド装置には種々のタイプのものがあり、その１つとして利用者が仰臥するマットレスを水平面上で回転させることができるようにした回転式ベッド装置が知られている。
【０００３】
通常、この種の回転式ベッド装置は、基体を有し、この基体に平面形状が円形状に形成された回転体が回転可能に支持される。この回転体は駆動機構によって回転駆動されるようになっている。上記回転体の上面には上記マットレスが載置される。
【０００４】
したがって、マットレス上に仰臥した利用者が老人や病人などのように自力によって身体を自由に動かすことができないような場合、リモートコントローラなどによって上記回転体を回転させれば、仰臥した状態で所望する方向を向くことができる。そのため、たとえば回転式ベッド装置をリンビングルームに隣接する部屋に設置しておけば、利用者は回転体を回転させることで、リンビングルームでの家族の会話などに加わったり、就寝時には就寝し易いように頭部の向きを変えるなどのことができ、便利である。
【０００５】
【発明が解決しようとする課題】
ところで、従来の回転式ベッド装置は、回転体を回転させることで利用者の向きを変えることはできるものの、所望する方向に向きを変えた状態で上半身を自動的に起こし、その状態を維持しておくという、いわゆる背上げ機能を備えていなかった。
【０００６】
そのため、回転式ベッド装置の利用者は、マットレス上で上半身を起こした状態で向きを変えて室外の景色を見たり、テレビを見るなど、所望する方向を向くという選択ができないということがあり、非常に不便であった。
【０００７】
この発明は、回転体を回転させて利用者が向きを変えることができるだけでなく、自動的に上半身を起こすことができる背上げ機能を備えた回転式ベッド装置を提供することにある。
【０００８】
【課題を解決するための手段】
この発明は、基体と、
この基体に回転可能に設けられた回転体と、
この回転体を回転駆動する駆動手段と、
複数の床部に分割され少なくとも一部が上記回転体に対して起伏可能に設けられた床板体と、
この床板体の下面側に上記回転体と一体的に設けられこの回転体に起伏可能に設けられた床部を起伏駆動する背上げ機構と
を具備したことを特徴とする回転式ベッド装置にある。
【０００９】
上記床板体の上面には、上記床部の起伏駆動によって折り曲げ可能に構成されたマットレスが設けられることが好ましい。
【００１０】
上記床板体と上記マットレスは平面形状が円形状をなしていいて、上記マットレスは径方向中心部から２つに折り畳み可能に形成されていることが好ましい。
【００１１】
上記駆動手段は、上記回転体の下面に対向するとともに周方向に所定間隔で回転可能かつ上記回転体の下面に接触して配置された複数のローラ体と、複数のローラ体のうちの少なくとも１つを回転駆動する駆動機構とを備えているこが好ましい。
【００１２】
この発明によれば、回転体に対して少なくとも一部が起伏可能な床部に形成された床板体を有し、この床板体の起伏可能な床部を背上げ機構によって起伏駆動するため、利用者は上半身を起こした状態で向きを変えることが可能となる。
【００１３】
【発明の実施の形態】
以下、図面を参照しながらこの発明の実施の形態を説明する。
【００１４】
図１乃至図１３はこの発明の一実施の形態に係る回転式ベッド装置Ｂの斜視図であって、この回転式ベッド装置Ｂは基体１を備えている。この基体１は図２に示すようにベッド装置Ｂの平面形状に対して十分に小さな矩形状の中心板２を有する。この中心板２の周辺部の下面には周方向に９０度間隔で４本の脚部材３が基端部を固着して放射状に設けられている。周方向において隣り合う一対の脚部材３は補強部材４によって連結補強されている。
【００１５】
各脚部材３の先端には、上端が開放したＵ字形状の支持部材５が一側面を連結して設けられている。各支持部材４には、それぞれゴム製のローラ体６が回転軸線をほぼ水平にし、かつ脚部材３の長手方向に沿わせて回転可能に設けられている。ローラ体６は、径方向の一部を上記支持部材５の開放端から上方に突出させている。
【００１６】
４本の脚部材３の１つの先端部側方には矩形状の載置板８が一側を連結して設けられている。この載置板８上には駆動機構９が設けられている。この駆動機構９は図９（ａ），（ｂ）に示すようにモータ１１を有する。このモータ１１の回転軸１１ａには第１の駆動プーリ１２が嵌着されている。
【００１７】
上記モータ１１の側方には減速機１３が配設されている。この減速機１３の入力軸１４には第１の従動プーリ１５が嵌着されている。この第１の従動プーリ１５と上記第１の駆動プーリ１２とには第１のベルト１６が張設されている。上記減速機１３の出力軸１７には第２の駆動プーリ１８が嵌着されている。
【００１８】
上記載置板８が連結された脚部材３の先端に設けられた支持部材５には、図９（ｂ）に示すように上記ローラ体６が取り付けられた支軸１９が一対の軸受２１によって回転可能に支持されている。この支軸１９の一端部は上記減速機１３側に突出し、その突出端部には第２の従動プーリ２２が嵌着されている。
【００１９】
上記第２の従動プーリ２２と上記第２の駆動プーリ１８とには、図９（ａ）に示すように一対の第２のベルト２３が並列に張設されている。したがって、上記モータ１１が作動すれば、減速機１３を介して上記ローラ体６が回転駆動されるようになっている。
上記駆動機構９と上記ローラ体６とによってこの発明の駆動手段を構成している。
【００２０】
なお、上記モータ１１のベース板１１ｂは上記載置板８に垂直方向の振動を減衰する第１の防振部材２４を介して取り付けられ、上記載置板８とベース板１１ｂとに立設された一対の垂直片８ａ，１１ｃ間には水平方向の振動を減衰する第２の防止部材２５が設けられている。
【００２１】
図１及び図３（ａ），（ｂ）に示すように、上記基体１に上記４つの支持部材５の外側の側面には帯板状の下部ラウンドカバー２６が平面形状が円形になるよう取り付けられている。
【００２２】
上記基体１の中心板２には、図４（ａ）に示すように円筒状の取り付け部材２７が立設されている。この取り付け部材２７の上端には上面に開放する凹部２８が形成された蓋部材２９が嵌着されている。上記凹部２８にはラジアル軸受３１が設けられ、このラジアル軸受３１には支軸３２の下端部が回転可能に支持されている。
【００２３】
上記基体１には回転体３０が回転可能に支持されている。図６（ａ）破壊天体を上面側から見た図で、同図（ｂ）はこの回転体３０を下面側から見た図である。図６（ｂ）に示すように、回転体３０は十字状に交差した上部梁部材３３と下部梁部材３４を有する。下部梁部材３４の上面には、上面が上部梁部材３３の上面と面一になるよう補強部材３５が矩形枠状に設けられている。
【００２４】
上記上部梁部材３３と補強部材３５の上面には、２枚で上記下部ラウンドカバー２６がなす円形とほぼ同じ大きさの円形状となる一対の半円形板３６ａからなるベース板３６が設けられている。各半円形板３６ａには一対の矩形状の開口部３７が形成されている。図６（ｂ）に示すように、ベース板３６の下面周辺部には、このベース板３６を補強する上部補強部材３８と下部補強部材３９が設けられている。
【００２５】
ベース板３６の上面には背上げ機構４１と脚上げ機構４２とが一体化された一対の床板駆動機構４３（図５に示す）が設けられている。この床板駆動機構４３は図６（ａ）及び図７（ａ），（ｂ）に示すように矩形状のフレーム４５を有する。フレームの両側外面にはそれぞれ一対のアングル材４４が設けられている。フレーム４５の長手方向一端部には両端部が回動可能に支持された背上げ軸４６が幅方向に沿って設けられ、他端部には同じく両端部が回動可能に支持された脚上げ軸４７が幅方向に沿って設けられている。
【００２６】
上記背上げ軸４６には一対の背上げアーム４８の基端部が回動可能に取り付けられている。一対の背上げアーム４８の対向する側面側、つまり内側にはそれぞれ駆動リンク４９の一端が上記背上げ軸４６に固着して設けられている。一対の駆動リンク４９の他端には係合軸５１が架設されている。この係合軸５１の両端部は駆動リンク４９の外側に突出し、上記背上げアーム４８の長手方向と交差する幅方向の下面に係合している。なお、上記背上げアーム４８の他端部には一対のローラ５０が所定間隔で回転可能に設けられている。
【００２７】
上記背上げ軸４６の長手方向中央部には作動リンク５２の一端が固着されている。作動リンク５２の他端は背上げ駆動源５３の進退駆動される駆動軸５４の先端に枢着されている。この背上げ駆動源５３は上記フレーム４５の中途部に設けられたブラケット５４に枢支されている。
【００２８】
それによって、上記駆動軸５４が図７（ｂ）に示すように後退した位置から図７（ａ）に示すように前進方向に駆動されれば、作動リンク５２によって背上げ軸４６が回転駆動されるから、その回転に連動する駆動リンク４９及び係合軸５１を介して上記背上げアーム４８が起上方向に駆動されるようになっている。
【００２９】
上記脚上げ軸４７には両端部に一対の脚上げアーム５７の一端が固着されている。脚上げアーム５７の他端にはローラ５８が回転可能に設けられている。脚上げ軸４７の中途部には作動リンク５９の一端が固着されている。この作動リンク５９の他端には脚上げ駆動源６１の駆動軸６２の先端が枢着されている。この脚上げ駆動源６１は上記フレーム４５の一端部に設けられたブラケット６３に枢着されている。
【００３０】
上記駆動軸６２が図７（ｂ）に示すように前進した状態から、図７（ａ）に示すように後退方向に駆動されると、上記脚上げ軸４７の回転によって脚上げアーム５９が起上方向に駆動されるようになっている。
【００３１】
図６（ａ）に示すように、床板駆動機構４３のフレーム４５はベース板３６の上面に、両側外面に設けられたアングル材４４を介して取り付け固定される。床板駆動機構４３をベース板３６に取り付けるには、背上げ駆動源５３と脚上げ駆動源６１とをフレーム４５から取り外した状態で、このフレーム４５をベース板３６の上面の開口部３７に対応する位置に取り付け固定する。
【００３２】
ついで、ベース板３６の下面側から上記背上げ駆動源５３と脚上げ駆動源６１とをフレーム４５に組み付ける。それによって、上記背上げ駆動源５３と脚上げ駆動源６１とは、上記開口部３７を介して回転体３０の上面側に位置する上記背上げ軸４６と脚上げ軸４７とに連結することができる。
【００３３】
図６（ｂ）に示すように、上記下部梁部材３４の長手方向中心部には支持孔６６が形成されている。図４（ａ）に示すように、下部梁部材３４の支持孔６６が形成された下面には位置決め孔６７が形成された２枚の位置決め板６８が位置決め孔６７を支持孔６６に対向させて取り付けられている。
【００３４】
上記支持孔６６及び位置決め孔６７には、図４（ａ）に示すように上記取り付け部材２７の上端に設けられた支軸３２に嵌挿されている。下側の位置決め板６８は上記支軸３２の中途部に設けられた鍔部３２ａに当接している。それによって、回転体３０は中心が基体１の支軸３２の軸心に位置決めされ、この支軸３２とともに回転可能となっている。
【００３５】
上記回転体３０を支軸３２に支持すると、回転体３０の下面周辺部に設けられた下部補強部材３９に４つのローラ体６が当接する。４つのローラ体６のうちの１つは、上記駆動機構９によって回転駆動される。それによって、上記回転体３０は支軸３２を中心にして周方向に回転駆動されるようになっている。
【００３６】
図５に示すように、上記回転体３０の上面には床板体７１が設けられる。この床板体７１は、一方の床板駆動機構４３によって起伏駆動される第１の床板７２と、他方の床板駆動機構４３によって起伏駆動される第２の床板７３とに分割されている。
【００３７】
上記第１の床板７２と第２の床板７３は、図５と図８に示すように左右対称のほぼ半円形状をなしている。つまり、各床板７２，７３は角パイプからなる一対の基杆部材７４ａ，７４ｂを有する。この基杆部材７４ａ，７４ｂは図７（ａ）に示すように上記床板駆動機構４３のフレーム４５の長手方向中途部に所定間隔で平行に固着されている。
【００３８】
一方の基杆部材７４ａの長手方向両端部には腰上げ床部７５の一端が回動可能に連結されている。腰上げ床部７５の他端には背上げ床部７６の一端が回動可能に連結されている。背上げ床部７６の下面には、回動方向と交差する方向に離間して断面コ字状の一対の係合部材７７が回動方向に沿って設けられている。
【００３９】
他方の基杆部材７４ｂの長手方向両端部には第１の脚上げ床部７８の一端が回動可能に連結されている。この第１の脚上げ床部７８の他端には第２の脚上げ床部７９の一端が回動可能に連結されている。
【００４０】
第１の脚上げ床部７８の下面には、回動方向と交差する方向に所定間隔で離間した帯板状の一対の当接板８１が回動方向に沿って設けられている。第２の脚上げ床部７９の下面には、回動方向と交差する方向に所定間隔で離間して一対の支持リンク８２の一端が枢着されている。上記背上げ床部７６と第２の脚上げ床部７９とには、それぞれネット８３が張設されている。
【００４１】
上記背上げ床部７６は上記床板駆動機構４３の一対の背上げアーム４８の上方に対向位置し、一対の背上げアーム４８に設けられたそれぞれ２つのローラ５０が各係合部材７７に転動可能に係合している。
【００４２】
上記第１の脚上げ床部７８に設けられた一対の当接板８１には脚上げアーム５７の先端に設けられたローラ５８が当接し、上記支持リンク８２の他端は上記床板駆動機構４３のフレーム４５の両側内面に枢着されている。
【００４３】
それによって、図７（ａ）に示すように、背上げアーム４８が上昇方向に駆動されれば、腰上げ床部７５と背上げ床部７６とが起上し、脚上げアーム５７が上昇方向に駆動されれば、第１の脚上げ床部７８が起上し、その起上に第２の脚上げ床部７９が連動する。第１の脚上げ床部７８の起上に連動した第２の脚上げ床部７９は支持リンク８２によってほぼ水平な状態で保持されるようになっている。
【００４４】
一対の床板駆動機構４３の背上げ駆動源５３と脚上げ駆動源６１とは同期して作動するようになっている。図５に示すように、一対の床板７２，７３の背上げ床部７６は連結部材８４によって連結されている。それによって、起上した一対の床板７２，７３の背上げ床部７６に荷重が加わることで、これら一対の背上げ床部７６が起上方向と交差する方向に対して傾きに差が生じないようになっている。
【００４５】
さらに、一対の床板７２，７３の背上げ床部７６を同期して作動する別々の床板駆動機構４３によって起上させるようにしているので、そのことによっても一対の背上げ床部７６が起上方向と交差する方向に対して傾きに差が生じるのを防止している。
【００４６】
一対の床板駆動機構４３の背上げ駆動源５３と脚上げ駆動源６１への給電は、図４に示す給電機構８５によって行なわれる。この給電機構８５は端子板８６を有する。この端子板８６は長手方向中央部分が山型状に曲成されていて、その中央部分を上記取り付け部材２７の上端に設けられた蓋部材２９に固定して設けられている。
【００４７】
上記端子板８６の両端部には複数、この実施の形態ではそれぞれ２つの端子８７が設けられている。上記端子板８６に対向する上記回転体３０の下部梁部材３４の下面には環状部材８８が設けられている。環状部材８８の下面には環状溝８９が形成され、この環状溝８９には径の異なる２つの導電リング９１が同心的に設けられている。
【００４８】
上記端子８７の上端は上記導電リング９１に電気的に接触し、下端には図示しない給電線が接続されている。上記導電リング９１にはこの給電線を介して給電されるようになっている。導電リング９１は、上記一対の床板駆動機構４３の背上げ駆動源５３と脚上げ駆動源６１とに電気的に接続されている。したがって、回転駆動される回転体３０に設けられた上記背上げ駆動源５３と脚上げ駆動源６１とに給電可能となっている。なお、上記背上げ駆動源５３と脚上げ駆動源６１とは図示しないリモートコントローラによって作動させることができるようになっている。
【００４９】
上記床板体７１の上面にはマットレス９３が載置される。このマットレス９３は、図１と図１３（ａ），（ｂ）とに示すように、平面形状が上記第１の床板７２と第２の床板７３とに対応する半円形状の一対のスプリングユニット９４を、図１０（ａ）〜（ｃ）に示す袋状の外装地９５に収容して形成されている。上記外装地９５は一対のスプリングユニット９４を収容する２つの袋部９５ａ，９５ｂを有する。したがって、図１０（ａ），（ｂ）に示すように円形状をなしたマットレス９３は図１０（ｃ）に示すように２つに折り畳むことができるようになっている。
【００５０】
それによって、上記マットレス９３を約半分の大きさにして取り扱うことができるから、工場からの出荷時の取り扱い、梱包或いは収納などが容易となる。
なお、外装地９５の上面には、図１０（ａ）に示すようにマットレス９３の所定方向に沿うキルティング９５ｃがその所定方向と交差する方向に所定間隔で形成されている。
【００５１】
上記スプリングユニット９４は、図１３（ａ），（ｂ）に示すように１本の線材によってコイル部１０１が軸線を平行にして連続して形成された複数の連続ばね体１０２が並設されている。これら連続ばね体１０２は、コイル部１０１の上端面と下端面とがヘリカル線１０３によって並設方向と交差する方向に連結されて一体化されている。
【００５２】
図１３（ａ）はスプリングユニット９４の上面を示し、図１３（ｂ）は下面を示している。半値円形状に形成されたスプリングユニット９４の下面には、閉鎖状に形成された第１乃至第３の下枠線１０４〜１０６が径方向一端から他端側に向かって順次設けられている。第３の下枠線１０６の隣には一側が開放したコ字状の第４の下枠線１０７及び同じく一側が開放したほぼムの字状の第５の下枠線１０８がそれぞれ図示しないクリップによって取り付けられている。
【００５３】
第１乃至第３の下枠線１０４〜１０６の隣り合う側辺間の箇所は、上記ヘリカル線１０３による連続ばね体１０２の下端面の連結が解除されている。それによって、スプリングユニット９４は、第１乃至第３の下枠線１０４〜１０６の隣り合う側辺間の箇所から上面側に向かって屈曲させることができるようになっている。
【００５４】
上記スプリングユニット９４の上面には、上記第５の下枠線１０８と対応する部分に閉鎖状に形成された第１の上枠線１０９が図示しないクリップによって取り付けられている。この第１の上枠線１０９の隣にはＬ字状の第２の上枠線１１０が設けられている。さらに、スプリングユニット９４の円弧状に湾曲した外周縁には、第３乃至第５の上枠線１１１〜１１３が取り付けられている。
【００５５】
第１の上枠線１０９と第２の上枠線１１０との隣り合う側辺間の箇所はヘリカル線１０３による連続ばね体１０２の上端面の連結が解除されている。それによって、スプリングユニット９４は、第１の上枠線１０９によって囲まれた部分を下方へ屈曲させることができるようになっている。
【００５６】
上記スプリングユニット９４の上面には、図１３（ａ）に鎖線で示すように複数のバイブレータ１１５が上面をスプリングユニット９４の上面とほぼ同じ高さにして保持されている。
【００５７】
図１２に示すように、上記スプリングユニット９４の上面と下面とにはそれぞれ樹脂製シート１１６を介して弾性シート１１７が重合されている。樹脂製シート１１６は、スプリングユニット９４を構成する連続ばね体１０２のヘリカル線１０３によって連結されていない部分に挿入されている。
【００５８】
それによって、スプリングユニット９４を折り曲げたときに、折り曲げ部分で連続ばね体１０２のコイル部１０１がぶつかり合って騒音が発生するのが防止されている。
【００５９】
上記構成のマットレス９３は、そのスプリングユニット９４の下面側の第１の下枠線１０４が設けられた部分を背上げ床部７６に対向させ、第２の下枠線１０５の部分を腰上げ床部７５に対向させている。さらに、第３の下枠線１０６の部分を一対の基杆部材７４ａ，７４ｂ間に対向させ、第４、第５の下枠線１０７，１０８の部分を第１、第２の脚上げ床部７８、７９に対向させて床板体７１上に載置される。
【００６０】
したがって、上記背上げ駆動源５３と脚上げ駆動源６１とを作動させて床板体７１の各床部を図７（ａ）に示すように起上させれば、マットレス９３を図１１に示すように屈曲させることができる。それによって、マットレス９３上に仰臥した図示しない利用者は、このマットレス９３の屈曲状態に応じて上半身を起こし、脚部を上昇させた姿勢を楽に維持することができる。
【００６１】
なお、上記回転体３０の周縁部には、図１及び図３（ａ），（ｂ）に示すように床板体７１上に載置されたマットレス９３の外周面を覆う上部ラウンドカバー１２１が全長にわたって設けられている。
【００６２】
図１に示すように、この上部ラウンドカバー１２１の上端面には、上記背上げ駆動源５３と脚上げ駆動源６１を作動させる図示しないリモートコントローラの受信部１２２が設けられている。さらに、回転体３０には背上げによってマットレス９３を屈曲させたときに、このマットレス９３が床板体７１上でずれ動くの防止するストッパ部材１２３が設けられている。
【００６３】
上記回転式ベッド装置によれば、基体１に対して回転可能に設けられた回転体３０には背上げ機構４１と脚上げ機構４２を有する一対の床板駆動機構４３を設け、これら床板駆動機構４３によって床板体７１の第１、第２の床板７２，７３の背上げ床部７６や第１、第２の脚上げ床部７８、７９を起伏駆動させることができるようにした。
【００６４】
さらに、上記床板体７１のうに載置されるマットレス９６を上記背上げ床部７６や第１、第２の脚上げ床部７８、７９の起伏に応じて屈曲される構成とした。
【００６５】
そのため、マットレス９６上に仰臥した利用者は、回転体３０を回転させることで、身体を所望する方向に向けることができるばかりか、上半身を起こした状態で身体を所望する方向に向けることができるから、たとえばテレビを見たり、窓から室外を見るなど所望する方向を向くことができ、便利である。
【００６６】
回転体３０の平面形状を円形とし、マットレス９３の平面形状も円形状としたことで、利用者が向きを変えるために回転体３０を回転させても、回転体３０やマットレス９３が円形の設置スペースよりも外方に振れるようなことがない。
【００６７】
そのため、回転体３０を回転させるために、その平面形状よりも余分にスペースを確保せずにすむ。
【００６８】
回転体３０とマットレス９３との平面形状に応じて床板体７１の平面形状も円形状としたため、その直径寸法が大きくなり、それに応じて背上げ床部７６の起上方向と交差する方向の幅寸法も大きくなるため、利用者の荷重が起上した背上げ床部７６の幅方向一端部に偏ると、背上げ床部７６が幅方向に撓む虞がある。
【００６９】
しかしながら、床板体７１を第１の床板７２と第２の床板７３とに分割し、各床板７２、７３を別々の背上げ機構４１で起伏駆動するようにした。そのため、各床板７２、７３の背上げ床部７６はそれぞれ背上げアーム４８によって支持されるから、一対の背上げ床部７６の一方に荷重が偏っても、背上げ床部７６が荷重方向に撓むのが防止される。
【００７０】
しかも、一対の背上げ床部７６は連結部材８４によって連結されているから、そのことによっても一方の背上げ床部７６が荷重を受けても、その背上げ床部７６が撓むのを防止する。
【００７１】
回転体３０は、基体１に回転可能に設けられたゴム製の複数のローラ体６によって下面周辺部が支持されており、そのうちの１つのローラ体６を駆動機構９によって回転駆動することで、上記回転体３０を周方向に回転させることができるようにしている。そのため、比較的簡単な構成で確実に回転体３０を回転駆動させることができるばかりか、ゴム製のローラ体６によって静かに回転させることが可能となる。
【００７２】
しかも、上記駆動機構９を構成するモータ１１が設けられたベース板１１ｂは第１の防振部材２４と第２の防振部材２５とによって水平方向と垂直方向との振動に対して減衰可能に設けられている。そのため、駆動機構９を作動させて回転体３０を回転駆動しても、振動の発生が抑制されるから、そのことによっても、回転体３０の運転を静かに行なうことができる。
【００７３】
図１４は給電機構の変形例を示すこの発明の第２の実施の形態である。この実施の形態の給電機構８５Ａは、基体１の中心板２に支軸３２Ａが下端部を一対のラジアル軸受１２１によって回転可能に支持されてほぼ垂直に設けられている。この支軸３２Ａの上端部は支持部１２２に形成され、この支持部１２２に回転体３０が第１の実施の形態と同様に支持されている。
【００７４】
上記支軸３２Ａの中途部にはドラム１２３が一体的に設けられている。このドラム１２３の外周面には複数の導電リング、この実施の形態では５つの導電リング１２４が上下方向に所定間隔で設けられている。５つの導電リング１２４は、背上げ機構４１の背上げ駆動源５３と脚上げ駆動源６１とに電気的に接続されている。
【００７５】
上記中心板２には、上記ドラム１２３の外周面に対向して端子用支柱１２５が垂直に立設されている。この端子用支柱１２５には上記５つの導電リング１２４にそれぞれ一端が電気的に接触した５つの端子１２５が上下方向に所定間隔で設けられている。上記端子１２５の他端には図示しない給電用のリード線が接続される。
【００７６】
それによって、上記回転体３０とともに床板駆動機構４３が回転しても、この床板駆動機構４３の背上げ駆動源５３と脚上げ駆動源６１とに、上記端子１２５及び導電リング１２４を介して給電することができる。
【００７７】
上記実施の形態では、床板体を半円形状の第１の床板と第２の床板とに分割したが、２つの床板に分割せず、回転体と対応する円形状に形成してもよい。その場合、床板体の起伏可能に設けられた床部を起伏駆動する床板駆動機構も１つでよい。
【００７８】
また、床板駆動機構には背上げ機構と脚上げ機構を設けたが、背上げ機構でだけとし、脚上げ機構は設けなくてもよい。
【００７９】
【発明の効果】
以上のようにこの発明によれば、回転駆動される回転体に対して少なくとも一部が起伏可能な床部に形成された床板体を有し、この床板体の起伏可能な床部を背上げ機構によって起伏駆動するようにした。
【００８０】
そのため、利用者は上半身を起こした状態で所望する方向に向きを変えることができ、非常に便利である。
【図面の簡単な説明】
【図１】この発明の一実施の形態に係る回転式ベッド装置の斜視図。
【図２】基体の平面図。
【図３】回転式ベッド装置の回転体を示す側面図。
【図４】（ａ）は回転体の支持構造の断面図、（ｂ）は給電機構の端子板側から見た環状部材の平面図。
【図５】回転式ベッド装置のマットレスを除去した平面図。
【図６】（ａ）は回転体の平面図、（ｂ）回転体の下面図。
【図７】（ａ）は床板体が設けられた床板駆動機構の側面図、（ｂ）は床板体を除去した床板駆動機構の側面図。
【図８】床板体の分割された一方の床板の平面図。
【図９】（ａ）は回転体を回転駆動する駆動手段の平面図、（ｂ）は側面図。
【図１０】（ａ）はマットレスの平面図、（ｂ）は側面図、（ｃ）は折り畳んだ状態の側面図。
【図１１】屈曲させた状態を示すマットレスの側面図。
【図１２】マットレスを構成するスプリングユニットの側面図。
【図１３】（ａ）はスプリングユニットを上面側から見た平面図、（ｂ）は下面側から見た平面図。
【図１４】この発明の他の実施の形態を示す給電機構の側面図。
【符号の説明】
１…基体、６…ローラ体（駆動手段）、９…駆動機構（駆動手段）、３０…回転体、４１…背上げ機構、７１…床板体、７６…背上げ床部、９３…マットレス。
【図１】
2004305364.tif 000003
【図２】
2004305364.tif 000004
【図３】
2004305364.tif 000005
【図４】
2004305364.tif 000006
【図５】
2004305364.tif 000007
【図６】
2004305364.tif 000008
【図７】
2004305364.tif 000009
【図８】
2004305364.tif 000010
【図９】
2004305364.tif 000011
【図１０】
2004305364.tif 000012
【図１１】
2004305364.tif 000013
【図１２】
2004305364.tif 000014
【図１３】
2004305364.tif 000015
【図１４】
2004305364.tif 000016